(57)【要約】【課題】  自然有機物由来の１４Ｃを的確に評価して地下水の年代を測定する。【解決手段】  現場から採取した地下水３中の腐植物等の粉末を溶媒に溶かして人工有機物及び自然有機物を含む溶液７とし、溶液７をｐＨ１からｐＨ３（ｐＨ２）に調整し、ｐＨ１からｐＨ３に調整された溶液７をアクリル酸エステル系の合成吸着部材製の樹脂１１に通水することで、ウラニンと共にフルボ酸を樹脂１１に吸着させ、ウラニン及びフルボ酸が吸着された樹脂１１に対し、ｐＨ６からｐＨ７の液体を通水してフルボ酸を離脱させ（溶出させ）、樹脂から離脱されたフルボ酸由来の１４Ｃを検出し、検出されたフルボ酸由来の１４Ｃを評価することで地下水の年代を導出する。【選択図】  図２
2014157091.tif 000002
【特許請求の範囲】
【請求項１】
ｐＨ１からｐＨ３に調整された、地下水に関連する液体が通水されることで人工有機物及び自然有機物が吸着され、人工有機物及び自然有機物が吸着された後にｐＨ６からｐＨ７の液体が通水されることで、吸着している自然有機物が離脱されるアクリル酸エステル系の合成吸着部材製の樹脂と、
前記合成吸着部材製の樹脂から離脱された前記自然有機物に由来する１４Ｃを検出する自然有機物検出手段と、
前記自然有機物検出手段で検出された前記自然有機物に由来する１４Ｃを評価し、評価結果により前記地下水の年代を類推する年代導出手段とを備えた
ことを特徴とする地下水の年代測定装置。
【請求項２】
請求項１に記載の地下水の年代測定装置において、
自然有機物はフルボ酸であり、
自然有機物検出手段では、フルボ酸由来の１４Ｃを検出する
ことを特徴とする地下水の年代測定装置。
【請求項３】
請求項１もしくは請求項２に記載の地下水の年代測定装置において、
地下水に関連する液体は、
地下水の有機物を濃縮して得られた粉末を溶媒に溶かした溶液である
ことを特徴とする地下水の年代測定装置。
【請求項４】
地下水に関連する液体をｐＨ１からｐＨ３に調整し、ｐＨ１からｐＨ３に調整した液体をアクリル酸エステル系の合成吸着部材製の樹脂に通水して人工有機物及びフルボ酸を吸着し、人工有機物及びフルボ酸が吸着された樹脂に対し、ｐＨ６からｐＨ７の液体を通水してフルボ酸を離脱させ、樹脂から離脱されたフルボ酸由来の１４Ｃを検出し、検出されたフルボ酸由来の１４Ｃを評価することで前記地下水の年代を導出することを特徴とする地下水の年代測定方法。
【請求項５】
請求項４に記載の地下水の年代測定方法において、
地下水に関連する液体は、地下水から有機物を濃縮して得られた粉末を溶液に溶かした液体である
ことを特徴とする地下水の年代測定方法。
【発明の詳細な説明】
【技術分野】
【０００１】
本発明は、地下水の年代を測定する地下水の年代測定装置及び地下水の年代測定方法に関する。
【背景技術】
【０００２】
放射性廃棄物処分の安全評価を行うため、処分場周辺の地下水流動を把握することが必要である。地下水流動の特性を把握するため、地中の特定物質の移動状況を監視し、放射性廃棄物の地中への漏洩を求めることが従来から知られている（例えば、特許文献１参照）。一方で、地下水の年代を評価（推定）することにより、地下水の流動状況を把握し、放射性廃棄物の地中への移動挙動評価を行うことが考えられている。
【０００３】
地下水の年代の評価は、採取した地下水の成分等を分析し、地下水と共に移動する放射性炭素（自然有機物由来の炭素）を評価することで、地下水の年代を推定することができると考えられている。地下水はボーリング孔を利用して採取することになるが、ボーリング孔は掘削液を用いて掘削されるため、ボーリング孔を利用して採取された地下水には掘削液が混入している。掘削液には、混入割合を把握するために蛍光塗料（人工的有機物）が添加されているので、地下水の年代を推定する場合には、地下水から掘削液の蛍光塗料に由来する炭素を分けて自然有機物由来の有機炭素だけを評価する必要がある。
【０００４】
地下水に溶存する有機物を合成吸着部材製の樹脂に吸着させる技術は知られているが、掘削液の蛍光塗料に由来する炭素を分離した状態で、地下水と共に移動する自然有機物由来の炭素を評価する技術は確立されていないのが現状である。このため、地下水と共に移動する自然有機物由来の炭素を評価することは、地下水の年代の側定に有効であることが知られているにも拘らず、地下水の年代評価の分野の技術として確立されているとはいえないのが実情であった。
【先行技術文献】
【特許文献】
【０００５】
【特許文献１】特開２００９−３２４６３号公報
【発明の概要】
【発明が解決しようとする課題】
【０００６】
本発明は上記状況に鑑みてなされたもので、地下水と共に移動する放射性炭素（自然有機物由来の炭素）を的確に評価して地下水の年代を測定することができる地下水の年代測定装置及び地下水の年代測定方法を提供することを目的とする。
【課題を解決するための手段】
【０００７】
上記目的を達成するための請求項１に係る本発明の地下水の年代測定装置は、ｐＨ１からｐＨ３に調整された、地下水に関連する液体が通水されることで、人工有機物及び自然有機物が吸着され、人工有機物及び自然有機物が吸着された後にｐＨ６からｐＨ７の液体が通水されることで、吸着している自然有機物が離脱されるアクリル酸エステル系の合成吸着部材製の樹脂と、前記合成吸着部材製の樹脂から離脱された前記自然有機物に由来する１４Ｃを検出する自然有機物検出手段と、前記自然有機物検出手段で検出された前記自然有機物に由来する１４Ｃを評価し、評価結果により前記地下水の年代を類推する年代導出手段とを備えたことを特徴とする。
【０００８】
請求項１に係る本発明では、地下水に関連する液体として、例えば、予め地下水の有機物（腐植物等）を濃縮して凍結乾燥し、粉末状にしたものを溶媒に溶かした溶液を適用することができる。現場から採取した腐植物等の粉末を溶媒に溶かして人工有機物及び自然有機物を含む溶液とし、溶液をｐＨ１からｐＨ３に調整する。ｐＨ１からｐＨ３に調整された溶液をアクリル酸エステル系の樹脂に通水することで、人工有機物及び自然有機物が吸着される。人工有機物及び自然有機物が吸着された後、ｐＨ６からｐＨ７の液体を樹脂に通水することで、吸着している自然有機物が離脱される。
【０００９】
自然有機物検出手段により、樹脂から離脱された自然有機物に由来する１４Ｃを検出する。地下水に含まれる自然有機物由来の１４Ｃは地下水と共に移動しているため、１４Ｃを評価することで地下水の年代を測定することが可能である。このため、地下水の年代導出手段により、自然有機物由来の１４Ｃを評価することで、人工有機物由来の１４Ｃが取り除かれた状態の１４Ｃに基づいて地下水の年代が測定される。
【００１０】
このため、地下水と共に移動する放射性炭素（自然有機物由来の炭素）を的確に評価して地下水の年代を測定することが可能になる。
【００１１】
そして、請求項２に係る本発明の地下水の年代測定装置は、請求項１に記載の地下水の年代測定装置において、自然有機物はフルボ酸であり、自然有機物検出手段では、フルボ酸由来の１４Ｃを検出することを特徴とする。
【００１２】
請求項２に係る本発明では、フルボ酸由来の１４Ｃを評価することで、人工有機物由来の１４Ｃが取り除かれた状態の１４Ｃに基づいて地下水の年代が測定される。
【００１３】
また、請求項３に係る本発明の地下水の年代測定装置は、請求項１もしくは請求項２に記載の地下水の年代測定装置において、地下水に関連する液体は、地下水の有機物を濃縮して得られた粉末を溶媒に溶かした溶液であることを特徴とする。
【００１４】
請求項３に係る本発明では、現場で採取された地下水の有機物（腐植物等）を濃縮して粉末とし、粉末を溶媒に溶かした溶液を用いることができるので、現場以外の分析施設で、即ち、所望の場所で、地下水の年代を容易に測定することができる。
【００１５】
上記目的を達成するための請求項４に係る本発明の地下水の年代測定方法は、地下水に関連する液体をｐＨ１からｐＨ３に調整し、ｐＨ１からｐＨ３に調整した液体をアクリル酸エステル系の合成吸着部材製の樹脂に通水して人工有機物及びフルボ酸を吸着し、人工有機物及びフルボ酸が吸着された樹脂に対し、ｐＨ６からｐＨ７の液体を通水してフルボ酸を離脱させ、樹脂から離脱されたフルボ酸由来の１４Ｃを検出し、検出されたフルボ酸由来の１４Ｃを評価することで前記地下水の年代を導出することを特徴とする。
【００１６】
請求項４に係る本発明では、フルボ酸由来の１４Ｃに基づいて地下水の年代が測定され、地下水と共に移動する放射性炭素（自然有機物由来の炭素）を的確に評価して地下水の年代を測定することが可能になる。
【００１７】
そして、請求項５に係る本発明の地下水の年代測定方法は、請求項４に記載の地下水の年代測定方法において、地下水に関連する液体は、地下水の有機物を濃縮して得られた粉末を溶液に溶かした液体であることを特徴とする。
【００１８】
請求項５に係る本発明では、現場で採取された地下水の有機物（腐植物等）を濃縮して粉末とし、粉末を溶媒に溶かした溶液を用いることができるので、現場以外の分析施設で、即ち、所望の場所で、地下水の年代を容易に測定することができる。
【発明の効果】
【００１９】
本発明の地下水の年代測定装置及び地下水の年代測定方法は、地下水と共に移動する放射性炭素（自然有機物由来の炭素）を的確に評価して地下水の年代を測定することが可能になる。
【図面の簡単な説明】
【００２０】
【図１】ボーリング掘削の概念図である。
【図２】本発明の一実施例に係る地下水の年代測定装置の概略構成図である。
【図３】合成吸着部材製の樹脂を決定するための概略構成図である。
【図４】ウラニンとフルボ酸の吸着割合とｐＨとの関係を説明するグラフである。
【図５】フルボ酸の離脱割合とｐＨとの関係の特性図である。
【図６】ウラニンの離脱割合とｐＨとの関係の特性図である。
【発明を実施するための形態】
【００２１】
図１に基づいてボーリング掘削における地下水の採取状況を説明する。図１にはボーリング掘削の概念を示してある。
【００２２】
広域での地下水流通を評価するために、例えば、放射性廃棄物の安全評価を行うために、地下水が採取されて地下水の年代が測定される。図に示すように、ボーリング孔１は掘削液２が供給されながら掘削され、掘削液２は地中に浸透すると共に地下水３に混合される。地下水３と共に移動する放射性炭素（自然有機物由来の炭素）を評価することで、地下水３の年代を推定することができることが確認されている。
【００２３】
図に示すように、地下水３には掘削液２が混入しており、掘削液２には、混入割合を把握するために蛍光塗料が添加されている。蛍光塗料には、人工的有機物であるウラニンやエオシンが含まれるため、地下水３の年代を推定する場合には、地下水３から掘削液２の蛍光塗料（例えば、ウラニン）に由来する炭素を分けて自然有機物由来の炭素だけを評価する必要がある。
【００２４】
本発明は、地下水３と共に移動する放射性炭素（自然由来の有機物に含まれる放射性炭素：フルボ酸由来の１４Ｃ）を評価する際に、蛍光塗料（ウラニン）に由来する炭素を取り除いた状態でフルボ酸由来の１４Ｃだけを評価することで地下水３の年代を測定するものである。
【００２５】
具体的には、例えば、予め地下水の有機物（腐植物等）を濃縮して凍結乾燥し、粉末状にしたものを溶媒に溶かした溶液を用い、現場から採取した地下水中の腐植物等の粉末を溶媒に溶かして人工有機物及び自然有機物を含む溶液とし、溶液をｐＨ１からｐＨ３に調整する。ｐＨ１からｐＨ３に調整された溶液をアクリル酸エステル系の合成吸着部材製の樹脂に通水することで、人工有機物（ウラニン）と共に自然有機物（フルボ酸）を合成吸着部材製の樹脂に吸着させる。
【００２６】
ウラニン及びフルボ酸が吸着された樹脂に対し、ｐＨ６からｐＨ７の液体を通水してフルボ酸を離脱させ（溶出させ）、樹脂から離脱されたフルボ酸由来の１４Ｃを検出し、検出されたフルボ酸由来の１４Ｃを評価することで地下水の年代を導出する。
【００２７】
フルボ酸由来の１４Ｃを評価することで、人工有機物由来の１４Ｃが取り除かれた状態の１４Ｃに基づいて地下水の年代が測定される。このため、地下水と共に移動するフルボ酸由来の１４Ｃ（自然有機物由来の放射性炭素）を的確に評価して地下水の年代を測定することが可能になる。そして、現場で採取された地下水の有機物（腐植物等）を濃縮して粉末とし、粉末を溶媒に溶かした溶液を用いているので、現場以外の分析施設で、即ち、所望の場所で、地下水の年代を容易に測定することができる。
【００２８】
図２に基づいて地下水の年代測定装置の概略を説明する。
【００２９】
図２には本発明の一実施例に係る地下水の年代測定装置の概略構成を説明するブロック構成を示してあり、図２（ａ）は溶液作製の概念、図２（ｂ）はフルボ酸及びウラニンの吸着の概念、図２（ｃ）は年代測定の概念である。
【００３０】
図２（ａ）に示すように、現場で汲み上げられた地下水３の有機物（腐植物）が濃縮手段５で濃縮され、粉末加工手段６で粉末状にされる。粉末状にされた有機物（腐植物）は、溶媒で液体化され、人工有機物（ウラニン）及び自然有機物（フルボ酸）を含む溶液７とされる。
【００３１】
濃縮手段５は、例えば、合成吸着部材製樹脂や逆浸透膜等に地下水３を通水することで有機物（腐植物）を濃縮する手段とされている。粉末加工手段６は、例えば、濃縮された腐植物を凍結・乾燥して粉末にする手段とされている。
【００３２】
図２（ｂ）に示すように、溶液７がｐＨ２（ｐＨ１からｐＨ３）に調整される。アクリル酸エステル系の合成吸着部材製の樹脂１１が充填された吸着カラム１２が備えられ、ｐＨ２に調整された溶液７が樹脂１１に通水される。これにより、樹脂１１にウラニン及びフルボ酸が吸着される。
【００３３】
粉末状にされた有機物（腐植物）、もしくは、溶液７が通水されてｐＨ２に保たれた樹脂１１（ウラニン及びフルボ酸が吸着された樹脂）が所望の分析施設に運ばれる。所望の分析施設は現場と一体となっていることもある。
【００３４】
図２（ｃ）に示すように、ウラニン及びフルボ酸が吸着された樹脂１１（吸着カラム１２）にｐＨ７（ｐＨ６からｐＨ７）の液体を通水し、吸着しているフルボ酸（自然有機物）だけを離脱させて排水する。
【００３５】
吸着カラム１２から排出される排水（ウラニンが取り除かれた排水）からフルボ酸を取り出し、フルボ酸由来の１４Ｃを検出する自然有機物検出手段１３が備えられている。そして、自然有機物検出手段１３で検出されたフルボ酸由来の１４Ｃが年代導出手段１４で評価される。
【００３６】
年代導出手段１４では、フルボ酸由来の炭素において、１２Ｃ、１３Ｃ、１４Ｃにおける１４Ｃの比率を求め、１４Ｃの比率に応じて年代が評価される。そして、地下水３と共に移動するフルボ酸由来の１４Ｃの評価結果に応じて地下水３の年代が測定される。
【００３７】
年代導出手段１４では、ウラニンが取り除かれた地下水３のフルボ酸由来の１４Ｃが評価されるので、蛍光塗料（ウラニン）に由来する人工有機物の１４Ｃが取り除かれた状態の自然有機物由来の１４Ｃを評価することができる。このため、地下水と共に移動する放射性炭素同位体、即ち、フルボ酸由来（自然有機物由来）の１４Ｃを的確に評価して地下水３の年代を測定することが可能になる。
【００３８】
アクリル酸エステル系の合成吸着部材製の樹脂１１は、例えば、細孔体積が０．７９（ｍＬ/ｇ）、比表面積が１６０（ｍ２/ｇ）、細孔半径（最頻度）が２２５（Å）の樹脂１１が用いられる。
【００３９】
図３から図６に基づいて、合成吸着部材製の樹脂１１として上述したアクリル酸エステル系の合成吸着部材製の樹脂１１を適用した根拠を説明する。
【００４０】
図３には合成吸着部材製の樹脂の評価を行うための機構の概略構成、図４にはウラニンとフルボ酸の捕集割合とｐＨとの関係を樹脂１１について示したグラフである。また、図５にはフルボ酸の離脱割合とｐＨとの関係の特性、図６にはウラニンの離脱割合とｐＨとの関係の特性を示してあり、図５、図６中の折れ線グラフは各ｐＨでの離脱割合、棒グラフはｐＨを高くした際のトータルの離脱割合である。
【００４１】
図３に示すように、例えば、直径ｒｍｍ（例えば、５ｍｍから１０ｍｍ程度）で長さＴｍｍ（例えば、１００ｍｍ程度）の通路部材１６にアクリル酸エステル系の合成吸着部材製の樹脂１１を充填し、ｐＨ２からｐＨ５にそれぞれ調整された溶液７を所定の圧力で通水し、ウラニンとフルボ酸の捕集割合を測定した。結果を図４に示す。
【００４２】
図４に示すように、樹脂１１は、ｐＨ１、ｐＨ２、ｐＨ３、ｐＨ４の溶液について、ウラニン（■）を略１００％捕集することができ、ｐＨ５の溶液について、ウラニン（■）を８０％程度捕集することができ、ｐＨ６の溶液について、ウラニン（■）を５０％程度捕集できることが判る。一方、樹脂１１は、ｐＨ１、ｐＨ２の溶液について、フルボ酸（●）を９５％以上捕集することができ、ｐＨ３、ｐＨ４の溶液について、フルボ酸（●）をそれぞれ８０％程度、５０％程度捕集でき、ｐＨ５、ｐＨ６の溶液について、フルボ酸（●）は１０％程度以下しか捕集できないことが判る。
【００４３】
このことから、アクリル酸エステル系の合成吸着部材製の樹脂１１は、ｐＨ２（ｐＨ１）に調整された溶液について、ウラニン（■）を略１００％捕集することができると共に、フルボ酸（●）を９５％以上捕集することができることがわかる。また、ｐＨ３に調整された溶液についても、ウラニン（■）を略１００％捕集することができると共に、フルボ酸（●）を８０％以上捕集することができることが判る。
【００４４】
つまり、樹脂１１は、ｐＨ１からｐＨ３に調整された溶液（腐植物を溶解させた溶液）から、蛍光塗料に由来する有機物であるウラニンと、地下水の自然有機物であるフルボ酸を高い捕集率で吸着させることが可能であることが判る。特に、ｐＨ２に調整された溶液から、ウラニン及びフルボ酸を高い捕集率で吸着させることが可能である。
【００４５】
アクリル酸エステル系の合成吸着部材製の樹脂１１は、以下に説明するように、ウラニンとフルボ酸の離脱状況が異なるため、腐植物を溶解させた溶液から、蛍光塗料に由来する有機物であるウラニンと、地下水の自然有機物であるフルボ酸を吸着し、所定の条件（後述するように、例えば、ｐＨ７に調整）でフルボ酸だけを多く離脱させることができる。
【００４６】
ウラニン及びフルボ酸が吸着された樹脂１１から、ウラニン、フルボ酸が離脱する状況を図５、図６に基づいて説明する。
【００４７】
図５、図６には、ｐＨ６からｐＨ８まで、ｐＨを異ならせた液体をウラニン及びフルボ酸が吸着された樹脂１１に通水し、フルボ酸及びウラニンの離脱割合を確認した結果を示してある。
【００４８】
図５の折れ線グラフに示すように、ｐＨ６、ｐＨ６.５、ｐＨ７で、フルボ酸がそれぞれ４５％程度、１０％程度、５％程度離脱することが判る。図５の棒グラフで示すように、ｐＨ７でトータル６０％程度のフルボ酸が離脱することが判る。ｐＨ７.２、ｐＨ７.４、ｐＨ７.６、ｐＨ７.８、ｐＨ８でのフルボ酸の離脱率は、５％に満たない状態であることが判る。
【００４９】
このことから、ウラニン及びフルボ酸が吸着された樹脂１１にｐＨ７の液体を通水することにより、フルボ酸を６０％程度離脱させることができることが判る。そして、ｐＨ７.２以上になると、フルボ酸の離脱割合は増加しないことが判る。
【００５０】
尚、ウラニン及びフルボ酸が吸着された樹脂１１にｐＨ７の液体を通水した場合も、ｐＨ６からｐＨ７まで、ｐＨを異ならせた液体を樹脂１１に通水してトータル６０％程度のフルボ酸を離脱させた場合と同様に、６０％程度のフルボ酸を離脱させることができる。
【００５１】
一方、図６の折れ線グラフに示すように、ｐＨ６、ｐＨ６.５、ｐＨ７で、ウラニンが離脱しないことが判る。そして、ｐＨ７.２、ｐＨ７.４、ｐＨ７.６、ｐＨ７.８でｐＨの値が増えるに従ってウラニンの離脱割合が高くなることが判る。図６の棒グラフで示すように、ｐＨ７ではウラニンが離脱することがなく、ｐＨ７.２からトータルのウラニンの離脱割合が増加し、ｐＨ８でウラニンの離脱割合がトータルで６０％を超えることになることが判る。
【００５２】
このことから、ウラニン及びフルボ酸が吸着された樹脂１１にｐＨ７.２よりも値が低いｐＨ（ｐＨ７）の液体を通水することにより、ウラニンを離脱させないようにすることができることが判る。そして、ｐＨ７.２以上になると、ウラニンが離脱し始めることが判る。
【００５３】
図５、図６の結果から、ウラニン及びフルボ酸が吸着された樹脂１１にｐＨ６からｐＨ７の液体を通水することにより、蛍光塗料に由来する有機物であるウラニンを離脱させずに、地下水の自然有機物であるフルボ酸を離脱させることができることが判る。特に、ｐＨ７の液体を通水することにより、ウラニンを離脱させずに、フルボ酸を６０％程度離脱させて回収することができる。
【００５４】
従って、フルボ酸由来の１４Ｃを評価することができ、地下水の腐植物を溶解させた溶液から、液蛍光塗料（ウラニン）に由来する人工有機物の１４Ｃが取り除かれた状態のフルボ酸由来の１４Ｃを評価することで、地下水と共に移動するフルボ酸由来（自然有機物由来）の１４Ｃを的確に評価して地下水の年代を的確に測定することができる。
【００５５】
そして、粉末状にされた有機物（腐植物）、もしくは、溶液７が通水されてｐＨ２に保たれた樹脂１１（ウラニン及びフルボ酸が吸着された樹脂）を所望の分析施設に運ぶことで、地下水を採取する現場から離れた分析施設で、即ち、所望の場所で、有機物（腐植物）として自然有機物であるフルボ酸を回収し、フルボ酸由来の１４Ｃに基づいて、地下水の年代を測定することができる。
【００５６】
上述した手法によりウラニンが取り除かれた地下水３のフルボ酸由来の１４Ｃを評価して地下水の年代を測定した場合、従来から行われている、Ｈｅ等を用いた手法の結果と略同じ結果が得られていることが確認されている。
【産業上の利用可能性】
【００５７】
本発明は、地下水の年代を測定する地下水の年代測定装置及び地下水の年代測定方法の産業分野で利用することができる。
【符号の説明】
【００５８】
１  ボーリング孔
２  掘削液
３  地下水
５  濃縮手段
６  粉末加工手段
７  溶液
１１  樹脂
１２  吸着カラム
１３  自然有機物検出手段
１４  年代導出手段
１６  通路部材
【図１】
2014157091.tif 000003
【図２】
2014157091.tif 000004
【図３】
2014157091.tif 000005
【図４】
2014157091.tif 000006
【図５】
2014157091.tif 000007
【図６】
2014157091.tif 000008